(57)【要約】【課題】従来歯科用チェアユニットにおける各種水回路への給水管路は、給水元から長管により直接又は中途から多岐管を経由して配設されていたが、配管の長さ、多岐管での減衰、通水径の大小等により時間差があり、また残留水の処理はチェアユニットのスピットン上に残留水排出装置をセットアップして行っていたが、手間がかかりかつ、同時排水では配管やチューブの長さ、通水径の大小等により排水に時間差を生じまた、水路の開閉を時系列的に行うと全排水に長時間を要した。本件は給水及び、残留水の排出を短時間で簡単に実施できる手段を提供する。【解決手段】歯科用チェアユニットの送水用各種装置と吸水用装置及び、送水を伴うハンドピース等の送水用各種器具の水回路開閉弁の入り口を、総て直列に接続した水供給用の幹線管路を設け同管路内に常時清浄な水を充填しておき、また残留水の排水は、上記幹線にブランチされた上記各種装置または器具で個々に実施し、処理時間の短縮を行う。また、幹線管路を第１と第２に分け第２幹線にはハンドピース類を所属させ処理してもよい。【選択図】図３
2004180782.tif 000002
【特許請求の範囲】
【請求項１】
歯科用チェアユニットの水供給回路において、
導水管から、スピットン洗浄装置、コップ給水装置、冷却用給水装置等の送水用各種装置と、カットフィルタ、バキュームタンク等の吸水用装置及び、
エアタービン、マイクロモータ、スケーラ、スリーウェイシリンジ、レーザプローブ等の送水を伴うハンドピース等の送水用各種器具の水回路を開閉する電磁弁の入り口を、すべて直列に接続した水供給の幹線管路を備えてなることを特徴とする歯科用幹線管路循環式給水システム。
【請求項２】
歯科用チェアユニットの水供給及び排出回路において、
導水管から、スピットン洗浄装置、コップ給水装置、冷却用給水装置等の送水用各種装置と、カットフィルタ、バキュームタンク等の吸水用装置及び、
エアタービン、マイクロモータ、スケーラ、スリーウェイシリンジ、レーザプローブ等の送水を伴うハンドピース等の送水用各種器具の水回路を開閉する電磁弁の入り口を、すべて直列に接続した水供給の幹線管路と、
該管路の終端を開閉して幹線管路内の残留水を排出した後、清浄な水を充填する排水及び充填用電磁弁と、
該電磁弁に接続された排水管とを備えてなり、
また、前記送水用各種装置のスピットン洗浄装置及び、吸水用装置のカットフィルタ、バキュームタンクの水回路終端の排水口は直接排水管に接続され、
前記、スピットン洗浄装置の注水管、コップ給水装置の給水管、冷却用給水装置の給水管及び各ハンドピース先端の吐出口はスピットン内に開放されてなることを特徴とする幹線管路循環式給水及び残留水排出システム。
【請求項３】
歯科用チェアユニットの水供給及び排出回路において、
導水管から、スピットン洗浄装置、コップ給水装置、冷却用給水装置等の送水用各種装置と、カットフィルタ、バキュームタンク等の吸水用装置の水回路を開閉する電磁弁の入り口を直列に接続した水供給の第１の幹線管路と、
該管路の終端を開閉して第１幹線管路内の残留水を排出した後、清浄な水を充填する排水及び充填用電磁弁と、
該電磁弁に接続された排出管とを備えてなり、
また、前記送水用各種装置のスピットン洗浄装置及び吸水用装置のカットフィルタ、バキュームタンクの終端の排水口は直接排水管に接続され、
さらに、導水管からエアタービン、マイクロモータ、スケーラ、スリーウェイシリンジ、レーザプローブ等の送水を伴うハンドピースの各種送水器具の水回路を開閉する電磁弁の入り口をすべて直列に接続した水供給の第２の幹線管路と、
前記管路の終端を開閉して第２の幹線管路内の残留水を排出した後、清浄な水を充填する排水及び充填用電磁弁と、該電磁弁に接続された排出管とを備えてなり、
また、前記第２の幹線管路に接続され送水を開閉する各種送水器具用電磁弁と、そして、前記送水器具先端の吐水口は、それぞれスピットン内に開放されてなることを特徴とする歯科用幹線管路循環式給水及び残留水排出システム。
【請求項４】
吸水用装置の水回路の基部より分岐されバキュームシリンジ、サライバエジェクタ等の吸水用器具の基部から逆向きに送水する開閉電磁弁と、前記吸水用器具の先端を吐水口となし、スピットン内に開放されてなることを特徴とする請求項１〜３に記載の歯科用幹線管路循環式給水及び残留水排出システム。
【発明の詳細な説明】
【０００１】
【発明の属する技術分野】歯科用チェアユニットの水回路の給水及び残留水の排出に関する。
【０００２】
【従来の技術】従来歯科用チェアユニットにおける各種水回路への給水管路は、給水元から長管により直接に、あるいは中途から、多岐管（マニホールド）を経由して分岐し、各排水器用の電磁弁の入り口に配設されていた。
そして、残留水の排出は歯科用チェアユニットのスピットン上部に、残留水排出装置を所要の都度設置し、各種水回路の端末を該残留水排出装置の挿入孔に差込んで、すべての排水用電磁弁や排水口を開いて、同時にあるいは規定された順序で電磁弁や排水口を開いてスピットン内に水回路内部の残留水を排出し、
かつ、残留水排出装置のタンクに貯留された前記残留水は、差し込まれた吸引管路の端末から吸引して、排水管に排出していた。
【０００３】
【発明が解決しようとする課題】しかしながら、前記水回路の給水管路の配管は、配管やチューブ等の長さや多岐管での減衰や通水径の大小等によって、
まず排水用装置及び排水用器具入り口の開閉電磁弁に至るまでに給水速度に時間差を生じ、さらに前記残留水排出装置を設置して排水する場合、装置の取り付けや水回路端末の差込等のセットアップは面倒で時間を要すると共に、複数の排水管から同時に排水した場合、各排水管の配管路によるチューブ等の長さ、通水径の大小等によって、排水に時間がかかりかつ、時間差を生ずる問題があった。
また、電磁弁の開閉を時系列的に通水径の大小に応じて行うと、全排水時間は１０数分と長時間を要した。
本発明は、給水及び残留水の排出を短時間で、かつ簡単に実施できる手段を提供する。
【０００４】
【課題を解決するための手段】上記に鑑み、本発明者等は鋭意実験研究の結果下記の手段によりこの課題を解決した。
（１）歯科用チェアユニットの水供給回路において、導水管から、スピットン洗浄装置、コップ給水装置、冷却用給水装置等の送水用各種装置と、カットフィルタ、バキュームタンク等の吸水用装置及び、エアタービン、マイクロモータ、スケーラ、スリーウェイシリンジ、レーザプローブ等の送水を伴うハンドピース等の送水用各種器具の水回路を開閉する電磁弁の入り口を、すべて直列に接続した水供給の幹線管路を備えてなることを特徴とする歯科用幹線管路循環式給水システム。
（２）歯科用チェアユニットの水供給及び排出回路において、導水管から、スピットン洗浄装置、コップ給水装置、冷却用給水装置等の送水用各種装置と、カットフィルタ、バキュームタンク等の吸水用装置及び、エアタービン、マイクロモータ、スケーラ、スリーウェイシリンジ、レーザプローブ等の送水を伴うハンドピース等の送水用各種器具の水回路を開閉する電磁弁の入り口を、すべて直列に接続した水供給の幹線管路と、該管路の終端を開閉して幹線管路内の残留水を排出した後、清浄な水を充填する排水及び充填用電磁弁と、該電磁弁に接続された排水管とを備えてなり、また、前記送水用各種装置のスピットン洗浄装置及び、吸水用装置のカットフィルタ、バキュームタンクの水回路終端の排水口は直接排水管に接続され、前記、スピットン洗浄装置の注水管、コップ給水装置の給水管、冷却用給水装置の給水管及び各ハンドピース先端の吐出口はスピットン内に開放されてなることを特徴とする幹線管路循環式給水及び残留水排出システム。
【０００５】
（３）歯科用チェアユニットの水供給及び排出回路において、導水管から、スピットン洗浄装置、コップ給水装置、冷却用給水装置等の送水用各種装置と、カットフィルタ、バキュームタンク等の吸水用装置の水回路を開閉する電磁弁の入り口を直列に接続した水供給の第１の幹線管路と、該管路の終端を開閉して第１幹線管路内の残留水を排出した後、清浄な水を充填する排水及び充填用電磁弁と、該電磁弁に接続された排出管とを備えてなり、また、前記送水用各種装置のスピットン洗浄装置及び吸水用装置のカットフィルタ、バキュームタンクの終端の排水口は直接排水管に接続され、さらに、導水管からエアタービン、マイクロモータ、スケーラ、スリーウェイシリンジ、レーザプローブ等の送水を伴うハンドピースの各種送水器具の水回路を開閉する電磁弁の入り口をすべて直列に接続した水供給の第２の幹線管路と、前記管路の終端を開閉して第２の幹線管路内の残留水を排出した後、清浄な水を充填する排水及び充填用電磁弁と、該電磁弁に接続された排出管とを備えてなり、また、前記第２の幹線管路に接続され送水を開閉する各種送水器具用電磁弁と、そして、前記送水器具先端の吐水口は、それぞれスピットン内に開放されてなることを特徴とする歯科用幹線管路循環式給水及び残留水排出システム。
（４）吸水用装置の水回路の基部より分岐されバキュームシリンジ、サライバエジェクタ等の吸水用器具の基部から逆向きに送水する開閉電磁弁と、前記吸水用器具の先端を吐水口となし、スピットン内に開放されてなることを特徴とする前項（１）〜（３）に記載の歯科用幹線管路循環式給水及び残留水排出システム。
【０００６】
【発明の実施の形態】本発明の実施の形態を図面に基づいて説明する。
図６は、従来の歯科用チェアユニットの残留水排出装置の外観斜視図である。
図において、６はスピットン部、７はコップ給水管、１２、１８はスリーウェイシリンジ、１３はスケーラ、１４はマイクロモータ、１５、１６はエアタービン、１７はサライバエジェクタ、１９はバキュームシリンジ、２１はスピットン、６７は残留水排出装置、６８は挿入口を示す。
図示したように、まず歯科用チェアユニットのスピットン２１の上部に、残留水排出装置６７を所要の都度設置し、コップ給水管７、スリーウェイシリンジ１２、１８  、スケーラ１３、マイクロモータ１４、エアタービン１５、１６の排水管端末及び、サライバエジェクタ１７、バキュームシリンジ１９の吸水管端末を、それぞれ所定挿入口６８に挿入してセットアップする。
【０００７】
次に、すべての排水用電磁弁や排水口を開いて、同時にあるいは規定された順序で電磁弁や排水口を開いて（図示せず）残留水排出装置６７内に前記各水回路内部の残留水を排出し、かつ、残留水排出装置６７のタンクに貯留された前記残留水は、挿入口６８に差し込まれたサライバエジェクタ１７、バキュームシリンジ１９の吸水管路の端末から吸引して、排水管に排出していた。
そして、前記各種水回路への給水管路は、給水元から長管により直接に、あるいは中途から、多岐管（マニホールド）を経由して分岐し、各排水器用の電磁弁の入り口に配設されていた（図示せず）。
【０００８】
図１は本発明の幹線管路循環式給水及び残留水排出システムの歯科用チェアユニットの外観斜視図である。
図において、１は歯科用チェアユニット、２はチェア、３は移動用アーム、４はトレイテーブル、５は操作盤、８はスピットン洗浄用注水管、９は補助者用テーブル、１０はチェア台座、１１はフットコントローラ、を示す。
幹線管路循環式給水及び残留水排出システムの幹線管路はスピットン部６内に配設されており、また前記残留水排出装置６７等は使用しないため、外観的には通常と変わらない。
【０００９】
図２は、スピットン内部の外観斜視図である。
図において、２０はコップ置台、２２は給水用チューブ、２３はカットフィルタ、２４はバキュームタンク、２５は制御部操作スイッチ、２６は水量開閉調整つまみを示す。
排水はスピットン２１に対して個々に空間を介して行われる。
また、幹線管路の配管は図の背面及び下部に配設される。その経路は後記図３〜５のブロック図に示す。
【００１０】
図３は、本発明の幹線管路循環式給水及び残留水排出システムのブロック図である。
図において、２７は排水トラップ、２８は寒天印象冷却部、２８’は冷却部の排水管、２９は給水元、３０は排出元、３１は幹線管路、３２は幹線排水路、３４は給水用コップ、３５は幹線ループの開閉電磁弁、３７コップ給水用開閉電磁弁、３８はスピットン注水用開閉電磁弁、３９は給水用開閉電磁弁、４０はバキューム用開閉電磁弁、４１はバキューム用ハンドピースの開閉電磁弁、４４〜４８はハンドピース用開閉電磁弁、４９はコップ給水管路の通水方向、５０は幹線管路の通水方向、５２はハンドピース管路の排水方向、５３はスピットン管路の排水方向、５４は冷却水管路の通水方向、５５はバキューム管路の通水方向、５７は合流排水管路の通水方向、５９はバキューム用ハンドピースの給水方向、６０は残留水、６１はスピットン排水口、６２は逆止弁、６３は水回路切替制御部を示す。
【００１１】
幹線管路３１は、給水元２９に直結された導水管から、スピットン注水用開閉電磁弁３８、コップ給水用開閉電磁弁３７、給水用開閉電磁弁３９、カットフィルタ２３、バキュームタンク２４等のバキューム用開閉電磁弁４０及び、エアタービン１５、１６、マイクロモータ１４、スケーラ１３、スリーウェイシリンジ１２、１８、レーザプローブ（図示せず）等の送水を伴うハンドピースの送水用各種器具の水回路を開閉するハンドピース開閉用電磁弁４４〜４８の入り口をすべて直列に接続している。
そしてその端部は幹線排水路３２に直結され、該幹線排水路の終端は排出元３０に接続されているので、全体で幹線管路のループが形成されている。
したがって、給水元２９と排出元３０間は１本の太い管路であるため、前記幹線ループの開閉電磁弁３５を開くと、給水は遅滞なく幹線管路の通水方向５０のように循環し、残留水は合流排水管路の通水方向５７のように排出されると共に、清浄な給水に置換される。
【００１２】
そして、前記幹線ループの開閉電磁弁３５を閉じると、幹線管路３１内の清浄な供給水がその位置まで常に充填される。
また、図示したようにすべての各種送水用電磁弁は、幹線管路３１に並列にブランチされているため、その入り口の導水管には上記清浄な供給水が充填されており、上記導水管は短く配設されている。
【００１３】
次に、前記各開閉電磁弁の出口は、前記送水用各種装置の例えば、スピットン洗浄装置（スピットン洗浄用注水管８）、コップ給水管７及び給水用チューブ２２に接続され、その先端はスピットン２１内に開放されているので、使用後の管あるいはチューブ内の残留水は、個々にコップ給水用開閉電磁弁３７、スピットン注水用開閉電磁弁３８、給水用開閉電磁弁３９を開いてスピットン２１内に、その先端のコップ給水管７、スピットン洗浄用注水管８、寒天印象冷却部２８等の冷却部排水管２８’より排出すればよく、この際、管内は清浄な水に置き換えられる。
また、吸水用装置のバキューム用開閉電磁弁４０出口は、カットフィルタ２３とそれに接続されているバキュームタンク２４の水回路の入り口に逆止弁６２を介して接続され、その終端の排水口は直接排水路３２に接続されておりバキューム管路の通水方向５５のように排出される。
さらに、前記スピットン２１の排水口６１も直接幹線排水路３２に接続され、スピットン管路の排水方向５３のように排出される。
【００１４】
そして、エアタービン１５、１６、マイクロモータ１４、スケーラ１３、スリーウェイシリンジ１２、１８等の各ハンドピースの送水用各種器具の水回路を開閉するハンドピース用開閉電磁弁４４〜４８の出口は、各ハンドピース用チューブの基部に接続され、器具先端の吐出口はスピットン２１に内に開放されているので、使用後のチューブあるいは器具内の残留水は、個々にスピットン２１内にハンドピース管路の排水方向５２のように吐出すればよく、この際、チューブ及び器具内は清浄な水に置き換えられる。
【００１５】
吸引用器具サライバエジェクタ１７、バキュームシリンジ１９の残留水の処理は、バキューム用ハンドピースの開閉電磁弁４１を開き、例えばうがい用コップを流用した給水用コップ３４に清浄な水を満たし、前記吸引用器具の先端を入れてバキュームポンプ（図示せず）により、チューブの基部から吸引し、水をバキューム用ハンドピースの給水方向５９のように前記カットフィルタ２３とそれに接続されているバキュームタンク２４を介して幹線排水路３２に排出すればよい。
水回路切替制御部６３は操作器とシーケンス回路を有し、前記各種の複数の開閉電磁弁の駆動回路に接続され所要時に作動させる。
【００１６】
以上述べたように、本幹線管路循環式給水及び残留水排出システムにより、幹線管路３１内の残留水は迅速に清浄な給水に置き換えられかつ管路に充填され、また各種送水装置及び送水器具は個々に迅速にかつ容易に処理できるため、歯科用チェアユニット水回路の残留水の処理は、従来に比し効率よく行うことができる。
【００１７】
図４は、本発明の第１幹線管路及び第２幹線管路を有する循環式給水及び残留水排出システムのブロック図である。
図において、６６は第１幹線管路、３３は第２幹線管路、３６は第１幹線ループの開閉電磁弁、５１は第１幹線管路の通水方向、５６は第２幹線管路の通水方向、６４は第２幹線ループの開閉電磁弁を示す。
本ブロック図は、前記図３に示した幹線管路循環式給水及び残留水排出システムの幹線管路３１を、給水元２９から第１幹線管路６６と、第２幹線管路３３の２つの幹線ループに分けて配設し、第１幹線管路の通水方向５１、第２幹線管路の通水方向５６のように循環させたもので、第１幹線管路６６は前記送水用装置に、第２幹線管路３３は送水用器具を所属させている。
特に送水用器具の各ハンドピースの先端部は、トレイテーブル４あるいは補助者用テーブル９に配置されており、かつ給水チューブの基部があるスピットン部６からは遠い距離にある（図１）。
そして、前記ハンドピース用開閉電磁弁４４〜４８はトレイテーブル内にあるため、その入り口までを第２幹線管路３３として前記第１幹線管路６６と分けて配設すると、各種送水用器具の排水速度をより速くすることができる。
また、操作及び作用としては図３の事例と同様である。
【００１８】
図５は、本発明の第１幹線管路及び第２幹線管路を有し、吸水器具の先端より吐水する循環式給水及び残留水排出システムのブロック図である。
図において、４２はバキュームシリンジ用開閉電磁弁、４３サライバエジェクタ用開閉電磁弁、５８は吸水器具管路の排出方向、６５はバキューム装置用開閉電磁弁を示す。
本ブロック図は前記図４に示したブロック図において、
吸水用装置（カットフィルタ２３とそれに接続されているバキュームタンク２４）の水回路の基部より分岐され、バキュームシリンジ用開閉電磁弁４２とサライバエジェクタ用開閉電磁弁４３を経由して、バキュームシリンジ１９、サライバエジェクタ１７の基部から逆向きにその先端に向けて送水し、ハンドピースの先端を吐水口として、前記スピットン２１内に開放して注水する。
【００１９】
上記の場合の各開閉電磁弁の動作を示す。
▲１▼、バキューム装置管路の残留水排出。
バキューム装置用開閉電磁弁６５開、バキュームシリンジ用開閉電磁弁４２とサライバエジェクタ用開閉電磁弁４３閉とする。
▲２▼、バキュームシリンジ１９及びサライバエジェクタ１７の残留水排出。
バキューム装置用開閉電磁弁６５閉、バキュームシリンジ用開閉電磁弁４２とサライバエジェクタ用開閉電磁弁４３は開とする。
▲３▼、診療時のバキューム管路の設定。
バキューム用開閉電磁弁４０閉、バキュームシリンジ用開閉電磁弁４２とサライバエジェクタ用開閉電磁弁４３及びバキューム装置用開閉電磁弁６５はそれぞれ開とする。
上記の順序は水回路切替制御部６３において設定しておけばよい。
このように作動させれば、他のハンドピースと同様な操作で残留水の排水を行うことができ、従来の例えば、コップに水を満たして片手で握持し、他の片手で吸水しながら排出する操作は不要であり、簡単かつ迅速に作業することができる。
【００２０】
【発明の効果】本発明によれば次のような優れた効果を発揮することができる。
１、本発明の請求項１の発明によれば、
歯科用チェアユニットの水供給回路において、
導水管から、スピットン洗浄装置、コップ給水装置、冷却用給水装置等の送水用各種装置と、カットフィルタ、バキュームタンク等の吸水用装置及び、
エアタービン、マイクロモータ、スケーラ、スリーウェイシリンジ、レーザプローブ等の送水を伴うハンドピース等の送水用各種器具の水回路を開閉する電磁弁の入り口を、すべて直列に接続した水供給の幹線管路を備えてなるため、該幹線管路にブランチされた各種送水用装置及び送水用器具用開閉電磁弁の入り口には常に均等な水圧の清浄な供給水を充填しておくことができる。
【００２１】
２、請求項２の発明によれば、
歯科用チェアユニットの水供給及び排出回路において、導水管から、スピットン洗浄、コップ給水、冷却用給水等の送水用各種装置と、カットフィルタ、バキュームタンク等の吸水用装置及び、エアタービン、マイクロモータ、スケーラ、スリーウェイシリンジ、レーザプローブ等の送水を伴うハンドピース等の送水用各種器具の水回路を開閉する電磁弁の入り口を、すべて直列に接続した水供給の幹線管路と、該管路の終端を開閉して幹線管路内の残留水を排出した後、清浄な水を充填する排水及び充填用電磁弁と、該電磁弁に接続された排水管とを備えてなり、また、前記送水用各種装置のスピットン洗浄装置及び、吸水用装置のカットフィルタ、バキュームタンクの水回路終端の排水口は直接排水管に接続され、そして、スピットン洗浄用注水管、コップ給水管、冷却用給水管及び各ハンドピース先端の吐出口はスピットン内に開放されてなるため、
本システムによれば、幹線管路の残留水は迅速に清浄な水に置き換えられかつ管路に充填され、また各種送水装置及び送水器具内の残留水は個々に迅速にかつ容易に処理でき、歯科用チェアユニット水回路の残留水の処理を効率よく行うことができる。
【００２２】
３、請求項３の発明によれば、
操作及び作用は前項と同様であるが、幹線管路循環式残留水排出システムの幹線管路を、供給元から第１幹線管路と、第２幹線管路の２つの幹線ループに分けて配設し、第１幹線管路の通水並びに第２幹線管路の通水を循環させ、第１幹線管路は送水用装置に、第２幹線管路は送水用器具に所属させている。
特に送水用器具の各ハンドピースの先端部は、トレイテーブルあるいは補助者テーブルに配置されており、かつ給水チューブの基部があるスピットン部からは遠い距離にあり、またハンドピース用開閉電磁弁はトレイテーブル内にあるため、その入り口までを第２の幹線管路として第１幹線管路と分けて配設すると、各送水用具の排水速度をより速くすることができる。
【００２３】
４、請求項４の発明によれば、
吸水用装置の水回路の基部より分岐されバキュームシリンジ、サライバエジェクタ等の吸水用器具の基部から逆向きに送水する開閉電磁弁と、前記吸水用器具の先端を吐水口となし、スピットン内に開放されてなるため、
順序を水回路切替制御部において設定して作動させれば、他のハンドピースと同様な操作で残留水の排水を行うことができ、従来の例えば、コップに水を満たして片手で握持し、他の片手で吸水しながら排出する等の操作は不要となり、簡単かつ迅速に作業することができる。
【図面の簡単な説明】
【図１】本発明の幹線管路循環式給水及び残留水排出システムの歯科用チェアユニットの外観斜視図。
【図２】スピットン内部の外観斜視図。
【図３】本発明の幹線管路循環式給水及び残留水排出システムのブロック図。
【図４】本発明の第１幹線管路及び第２幹線管路を有する循環式給水及び残留水排出システムのブロック図。
【図５】本発明の第１幹線管路及び第２幹線管路を有し吸水器具の先端より吐水する循環式給水及び残留水排出システムのブロック図。
【図６】従来の歯科用チェアユニットの残留水排出装置の外観斜視図。
【符号の説明】
１：歯科用チェアユニット            ２：チェア
３：移動用アーム                    ４：トレイテーブル
５：操作盤                                                    ６：スピットン部
７：コップ給水管                    ８：スピットン洗浄用注水管
９：補助者用テーブル                １０：チェア台座
１１：フットコントローラ                      １２、１８：スリーウェイシリンジ
１３：スケーラ                      １４：マイクロモータ
１５、１６：エアタービン            １７：サライバエジェクタ
１９：バキュームシリンジ              ２０：コップ置台
２１：スピットン                                      ２２：給水用チューブ
２３：カットフィルタ                ２４：バキュームタンク
２５：制御部操作スイッチ            ２６：水量開閉調整つまみ
２７：排水トラップ                  ２８：寒天印象冷却部
２８’：冷却部の排水管                ２９：給水元
３０：排出元                        ３１：幹線管路
３２：幹線排水路                    ３３：第２幹線管路
３４：給水用コップ                  ３５：幹線ループの開閉電磁弁
３６：第１幹線ループの開閉電磁弁    ３７：コップ給水用開閉電磁弁
３８：スピットン注水用開閉電磁弁
３９：給水用開閉電磁弁              ４０：バキューム用開閉電磁弁
４１：バキューム用ハンドピースの開閉電磁弁
４２：バキュームシリンジ用開閉電磁弁
４３：サライバエジェクタ用開閉電磁弁
４４〜４８：ハンドピース用開閉電磁弁
４９：コップ給水管路の通水方向      ５０：幹線管路の通水方向
５１：第１幹線管路の通水方向        ５２：ハンドピース管路の排水方向
５３：スピットン管路の排水方向      ５４：冷却水管路の通水方向
５５：バキューム管路の通水方向      ５６：第２幹線管路の通水方向
５７：合流排水管路の通水方向        ５８：吸水器具管路の排出方向
５９：バキューム用ハンドピースの給水方向
６０：残留水                        ６１：スピットン排水口
６２：逆止弁                        ６３：水回路切替制御部
６４：第２幹線ループの電磁弁                ６５：バキューム装置用開閉電磁弁
６６：第１幹線管路                  ６７：残留水排出装置
６８：挿入口
【図１】
2004180782.tif 000003
【図２】
2004180782.tif 000004
【図３】
2004180782.tif 000005
【図４】
2004180782.tif 000006
【図５】
2004180782.tif 000007
【図６】
2004180782.tif 000008